(57)【要約】【課題】例えば、複数のデータ線間に発生する結合容量、或いは複数のデータ線相互の電気抵抗のばらつきを低減するためにデータ線に電気的に接続された容量素子が静電破壊されることを低減する。【解決手段】ＴＦＴ３１は、当該液晶パネル１００の非動作時において、ソース領域３１Ｓ及びドレイン領域３１Ｄ間が非導通状態に設定されているように動作する。より具体的には、ソース領域３１Ｓ及びドレイン領域３１Ｄ間の導通及び非導通は、ゲート３１Ｇに対する電源ＶＤＤあるいはＶＳＳの供給及び非供給に応じて相互に切り換えられる。液晶パネル１００の非動作時において、容量素子３２及びデータ線部１１４Ａ間の電気的な接続が遮断される。液晶パネル１００の動作時には、ＴＦＴ３１のソース領域３１Ｓ及びドレイン領域３１Ｄ間の非導通状態から導通状態に切り替えられているため、データ線１１４Ａ及び容量素子３２は相互に電気的に接続されている。【選択図】図６
2010160183.tif 000002
【特許請求の範囲】
【請求項１】
基板上の表示領域において互いに交差する複数の走査線及び複数のデータ線と、
前記走査線及び前記データ線の交差に対応して設けられており、前記データ線の途中で前記データ線に電気的に接続された画素部と、
前記データ線のうち前記画素部から見て画像信号が入力される一方のデータ線部の反対側に延び、且つ前記データ線の一部を構成する他方のデータ線部にソース領域及びドレイン領域の一方が電気的に接続されており、前記画素部を含む回路部の非動作時において、前記ソース領域及び前記ドレイン領域間が非導通状態に設定されているように動作するトランジスタ素子と、
前記ソース領域及び前記ドレイン領域の他方に電気的に接続された容量素子と
を備えたことを特徴とする電気光学装置。
【請求項２】
前記画素部を駆動するための駆動回路を備え、
前記トランジスタ素子のゲートは、前記駆動回路を駆動するための電源に電気的に接続されており、
前記ソース領域及び前記ドレイン領域間の導通及び非導通は、前記ゲートに対する前記電源の供給及び非供給に応じて相互に切り換えられること
を特徴とする請求項１に記載の電気光学装置。
【請求項３】
請求項１又は２に記載の電気光学装置を具備してなること
を特徴とする電子機器。
【発明の詳細な説明】
【技術分野】
【０００１】
本発明は、例えば、データ線間の結合容量等を低減するためにデータ線に電気的に接続された容量素子の静電気破壊を低減可能な液晶装置等の電気光学装置、及びそのような電気光学装置を備えたプロジェクタ等の電子機器の技術分野に関する。
【背景技術】
【０００２】
この種の電気光学装置では、複数のデータ線間に発生する結合容量、或いは複数のデータ線相互の電気抵抗のばらつきを一因として画像に生じるムラを低減することを目的として、データ線の端に容量素子が電気的に接続される場合がある（例えば、特許文献１参照。）。
【先行技術文献】
【特許文献】
【０００３】
【特許文献１】特開２００４−１２５８８７号公報
【発明の概要】
【発明が解決しようとする課題】
【０００４】
しかしながら、データ線に容量素子を直接電気的に接続した場合、静電気に起因する高電圧がデータ線を介して容量素子に直接印加されてしまい、容量素子が静電破壊されてしまう問題点があった。容量素子が静電破壊されてしまうと、複数のデータ線間に発生する結合容量、或いは電気抵抗のばらつきを低減することが困難となり、表示画像の画質が低下してしまう。
【０００５】
よって、本発明は上記問題点等に鑑みてなされたものであり、例えば、複数のデータ線間に発生する結合容量、或いは複数のデータ線相互の電気抵抗のばらつきを低減するためにデータ線に電気的に接続された容量素子が静電破壊されることを低減可能な電気光学装置、及びそのような電気光学装置を具備してなる電子機器を提供することを課題とする。
【課題を解決するための手段】
【０００６】
本発明に係る電気光学装置は上記課題を解決するために、基板上の表示領域において互いに交差する複数の走査線及び複数のデータ線と、前記走査線及び前記データ線の交差に対応して設けられており、前記データ線の途中で前記データ線に電気的に接続された画素部と、前記データ線のうち前記画素部から見て画像信号が入力される一方のデータ線部の反対側に延び、且つ前記データ線の一部を構成する他方のデータ線部にソース領域及びドレイン領域の一方が電気的に接続されており、前記画素部を含む回路部の非動作時において、前記ソース領域及び前記ドレイン領域間が非導通状態に設定されているように動作するトランジスタ素子と、前記ソース領域及び前記ドレイン領域の他方に電気的に接続された容量素子とを備えている。
【０００７】
本発明に係る電気光学装置によれば、トランジスタ素子は、前記データ線のうち前記画素部から見て画像信号が入力される一方のデータ線部の反対側に延び、且つ前記データ線の一部を構成する他方のデータ線部にソース領域及びドレイン領域の一方が電気的に接続されるように基板上に形成されている。加えて、トランジスタ素子は、当該電気光学装置の非動作時において、前記ソース領域及び前記ドレイン領域間が非導通状態に設定されているように動作する。したがって、トランジスタ素子によれば、当該電気光学装置の非動作時において、データ線に印加された静電気の電圧が、後述する容量素子に印加されることを低減できる。
【０００８】
容量素子は、前記ソース領域及び前記ドレイン領域の他方に電気的に接続されている。したがって、容量素子によれば、前記画素部を含む回路部の動作時には、複数のデータ線間に発生する結合容量を低減でき、複数のデータ線の夫々の電気抵抗相互のばらつきを低減可能である。加えて、トランジスタ素子によって、静電気の電圧が当該容量素子に印加されることが低減可能であるため、前記画素部を含む回路部の非動作時において容量素子が静電気によって静電破壊されることを低減可能である。
【０００９】
よって、本発明に係る電気光学装置によれば、複数のデータ線間に発生する結合容量、或いは電気抵抗のばらつきを低減することが長期間に亘って可能になり、表示画像の画質を維持できる。
【００１０】
本発明に係る電気光学装置の一の態様では、前記画素部を駆動するための駆動回路を備え、前記トランジスタ素子のゲートは、前記駆動回路を駆動するための電源に電気的に接続されており、前記ソース領域及び前記ドレイン領域間の導通及び非導通は、前記ゲートに対する前記電源の供給及び非供給に応じて相互に切り換えられてもよい。
【００１１】
この態様によれば、トランジスタ素子の動作を制御する制御回路を設けることなく、簡便な回路構成でトランジスタ素子の導通及び非導通を相互に切り替えることが可能である。
【００１２】
本発明に係る電子機器は上記課題を解決するために、上述した本発明の電気光学装置を備えている。
【００１３】
本発明に係る電子機器によれば、上述した本発明に係る電気光学装置を具備してなるので、高品位の表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００１４】
本発明のこのような作用及び他の利得は次に説明する実施形態から明らかにされる。
【図面の簡単な説明】
【００１５】
【図１】本実施形態に係る液晶パネルの平面図である。
【図２】図１のＩＩ−ＩＩ´断面図である。
【図３】本実施形態に係る液晶パネルを一部に含む液晶装置の電気的な構成を示したブロック図である。
【図４】本実施形態に係る液晶パネルの電気的構成を示したブロック図である。
【図５】本実施形態に係る液晶パネルにおける画素部７０の回路構成を示した回路図である。
【図６】本実施形態に係る液晶パネルの一部を構成する付加回路の電気的な構成を示した回路図である。
【図７】本発明に係る電子機器の一例であるプロジェクタの構成を示した平面図である。
【発明を実施するための形態】
【００１６】
以下図面を参照しながら、本発明に係る電気光学装置及び電子機器の各実施形態を説明する。
【００１７】
＜１：電気光学装置＞
＜１−１：電気光学装置の全体構成＞
先ず、図１及び図２を参照しながら、本発明に係る電気光学装置の一実施形態である液晶パネル１００の全体構成を説明する。ここに、図１は、ＴＦＴアレイ基板をその上に形成された各構成要素と共に対向基板の側から見た液晶パネル１００の概略的な平面図であり、図２は、図１のＩＩ−ＩＩ´断面図である。ここでは、駆動回路内蔵型のＴＦＴアクティブマトリクス駆動方式の液晶パネルを例に挙げている。
【００１８】
図１及び図２において、本実施形態に係る液晶パネル１００では、本発明の「基板」の一例であるＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、本発明の「表示領域」の一例である画像表示領域１０ａの周囲に位置するシール領域に設けられたシール材５２により相互に接着されている。
【００１９】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のギャップ材が散布されている。
【００２０】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００２１】
画像表示領域１０ａの周辺に位置する周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺のいずれかに沿い、且つ、額縁遮光膜５３に覆われるようにして設けられている。尚、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続されるようにする。
【００２２】
尚、データ線駆動回路１０１及び走査線駆動回路１０４が、本発明の「駆動回路」の一例を構成している。これら駆動回路は、液晶パネル１００の動作時において、本発明の「電源」の一例である電源回路７００から供給される電源ＶＤＤ及びＶＳＳによって駆動される。
【００２３】
対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００２４】
図２において、ＴＦＴアレイ基板１０上には、画素電極９ａが、画素スイッチング用のＴＦＴや走査線、データ線等の配線が形成された後に形成されており、その上に配向膜が形成されている。他方、対向基板２０上には、対向電極２１の他、格子状又はストライプ状の遮光膜２３、更には最上層部分に配向膜が形成されている。液晶層５０は、例えば一種又は数種類のネマティック液晶を混合した液晶からなり、これら一対の配向膜間で所定の配向状態をとる。
【００２５】
尚、図１及び図２には図示しないが、ＴＦＴアレイ基板１０上には、データ線駆動回路１０１や走査線駆動回路１０４等に加えて、後述するように画像信号をサンプリングしてデータ線に供給するサンプリング回路が設けられている。
【００２６】
＜１−２：電気光学装置の電気的な構成＞
次に、図３及び図４を参照しながら、液晶パネル１００の電気的な構成を説明する。ここに、図３は、液晶パネルを含んで構成される液晶装置５００の全体構成を示すブロック図であり、図４は、液晶パネル１００の電気的な構成を詳細に示したブロック図である。
【００２７】
図３に示すように、液晶装置５００は、液晶パネル１００を備えると共に、外部回路として設けられた画像信号供給回路３００、タイミング制御回路４００、及び電源回路７００を備えている。
【００２８】
タイミング制御回路４００は、各部で使用される各種タイミング信号を出力するように構成されている。タイミング制御回路４００の一部であるタイミング信号出力手段により、最小単位のクロックであり各画素を走査するためのドットクロックが作成され、このドットクロックに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。
【００２９】
画像信号供給回路３００には、液晶装置５００の動作時、即ち、液晶パネル１００の動作時に、外部から１系統の入力画像データＶＩＤが入力される。画像信号供給回路３００は、１系統の入力画像データＶＩＤをシリアル−パラレル変換して、Ｎ相、本実施形態では６相（Ｎ＝６）の画像信号ＶＩＤ１〜ＶＩＤ６を生成する。更に、画像信号供給回路３００において、画像信号ＶＩＤ１〜ＶＩＤ６の各々の電圧が、所定の基準電位に対して正極性及び負極性に反転され、このように極性反転された画像信号ＶＩＤ１〜ＶＩＤ６が出力される。
【００３０】
電源回路７００は、共通電位線１３１（図４参照。）を介して所定の共通電位ＬＣＣＯＭを図２に示す対向電極２１及び付加回路ＡＣ（図４参照。）に供給すると共に、液晶パネル１００中の各駆動回路に電源ＶＤＤ及びＶＳＳを供給する。本実施形態において、対向電極２１は、図２に示す対向基板２０の下側に、複数の画素電極９ａと対向するように形成されている。
【００３１】
図４に示すように、液晶パネル１００は、そのＴＦＴアレイ基板１０の周辺領域に、走査線駆動回路１０４、データ線駆動回路１０１、サンプリング回路２００、及び付加回路ＡＣを備えている。尚、以下では、ＴＦＴアレイ基板１０上の画像表示領域１０ａにマトリクス状に配列された複数の画素部７０のうち、複数のデータ線１１４の任意のデータ線１１４Ａの途中である接続点Ｐに電気的に接続された画素部７０Ａを本発明の「画素部」の一例として挙げている。
【００３２】
走査線駆動回路１０４には、Ｙクロック信号ＣＬＹ、反転Ｙクロック信号ＣＬＹｉｎｖ、及びＹスタートパルスＤＹが供給される。走査線駆動回路１０４は、ＹスタートパルスＤＹが入力されると、Ｙクロック信号ＣＬＹ及び反転Ｙクロック信号ＣＬＹｉｎｖに基づくタイミングで、走査信号Ｙ１、・・・、Ｙｍを順次生成して出力する。
【００３３】
データ線駆動回路１０１には、Ｘクロック信号ＣＬＸ、反転Ｘクロック信号ＣＬＸｉｎｖ、及びＸスタートパルスＤＸが供給される。データ線駆動回路１０１は、ＸスタートパルスＤＸが入力されると、Ｘクロック信号ＣＬＸ及び反転Ｘクロック信号ＸＣＬＸｉｎｖに基づくタイミングで、サンプリング信号Ｓ１、・・・、Ｓｎを順次生成し、配線１１６を介して各サンプリングスイッチ２０２にサンプリング信号Ｓ１、・・・、Ｓｎを出力する。
【００３４】
サンプリング回路２００は、Ｐチャネル型又はＮチャネル型の片チャネル型ＴＦＴ、若しくは相補型のＴＦＴから夫々構成された複数のサンプリングスイッチ２０２を備えている。
【００３５】
液晶パネル１００は、更に、そのＴＦＴアレイ基板１０の中央を占める画像表示領域１０ａに、縦横に配線されたデータ線１１４及び走査線１１２を備え、それらの交点に対応して設けられた画素部７０を備えている。尚、本実施形態では特に、走査線１１２の総本数をｍ本（但し、ｍは２以上の自然数）とし、データ線１１４の総本数をｎ本（但し、ｎは２以上の自然数）として説明する。
【００３６】
６相にシリアル−パラレル展開された画像信号ＶＩＤ１〜ＶＩＤ６は、Ｎ本（本実施形態では６本）の画像信号線１７１を介して液晶パネル１００に供給される。ｎ本のデータ線１１４は、以下に説明するように、画像信号線１７１の本数に対応する６本のデータ線１１４を１群とするデータ線群毎に、順次駆動される。
【００３７】
データ線駆動回路１０１から、各データ線群に対応するサンプリングスイッチ２０２毎にサンプリング信号Ｓｉ（ｉ＝１、２、・・・、ｎ）が順次供給され、サンプリング信号Ｓｉに応じて各サンプリングスイッチ２０２はオン状態となる。各サンプリングスイッチ２０２は、中継配線を介して画像信号線１７１に接続されている。
【００３８】
よって、サンプリングスイッチ２０２がオン状態となった際に、即ち、サンプリングスイッチ２０２が非選択状態から選択状態に切り換った際に、６本の画像信号線１７１から画像信号ＶＩＤ１〜ＶＩＤ６が、データ線群に属するデータ線１１４に同時に、且つデータ線群毎に順次供給される。よって、データ線群に属するデータ線１１４は互いに同時に駆動されることとなる。従って、本実施形態では、ｎ本のデータ線１１４をデータ線群毎に駆動できるため、相展開しない場合に比べて液晶パネル１００の駆動周波数を抑制できる。
【００３９】
付加回路ＡＣは、データ線１１４Ａのうち画素部７０Ａから見て画像信号ＶＩＤｋが入力される一方のデータ線部１１４Ａ１の反対側に延び、且つデータ線１１４Ａの一部を構成する他方のデータ線部１１４Ａ２に電気的に接続されている。
【００４０】
付加回路ＡＣに電気的に接続された配線１２９は、液晶パネル１００を検査するための検査回路（不図示）に電気的に接続されている。付加回路ＡＣは、共通電位線１３１に電気的に接続された配線１２８に電気的に接続されている。付加回路ＡＣは、電源ＶＤＤ及びＶＳＳを電源回路７００から付加回路ＡＣに供給可能なように、配線１２７を介して電源回路７００に電気的に接続されている。
【００４１】
＜１−３：画素部の電気的な構成＞
次に、図５を参照しながら、画素部７０の電気的な構成を説明する。図５は、本実施形態に係る画素部７０の回路構成を示した回路図である。
【００４２】
図５に示すように、画素部７０は、液晶素子１１８、ＴＦＴ３０、及び保持容量１１９を備えている。
【００４３】
液晶素子１１８は、液晶パネル１００の動作時に、画素電極９ａと、画素電極９ａに対向する対向電極２１との間に生じる電圧によって液晶の配向状態が制御され、当該配向状態に応じて液晶パネル１００の表示面に光を出射する。
【００４４】
ＴＦＴ３０は、ソース電極３０ａ、ドレイン電極３０ｂ、及びゲート電極３０ｃを有しており、液晶パネル１００の動作時に画素電極９ａを介して液晶素子１１８の駆動を制御する。より具体的には、図４及び図５に示すように、ソース電極３０ａには、画像信号ＶＩＤｋ（但し、ｋ＝１、２、３、・・・、６）が供給されるデータ線１１４が電気的に接続されている一方、ゲート電極３０ｃには、走査信号Ｙｊ（但し、ｊ＝１、２、３、・・・、ｍ）が供給される走査線１１２が電気的に接続されるとともに、ＴＦＴ３０のドレイン電極３０ｂには、液晶素子１１８の画素電極９ａが接続されている。
【００４５】
走査信号Ｙｊが供給された走査線１１２に対応する画素部７０、即ち、選択された走査線１１２に対応する画素回路７０において、ＴＦＴ３０に走査信号Ｙｊが供給されると、ＴＦＴ３０はオン状態（即ち、非選択状態から選択状態）に切り換り、当該画素部７０は選択状態となる。液晶素子１１８の画素電極９ａには、一定期間だけＴＦＴ３０が選択状態にあることにより、データ線１１４より画像信号ＶＩＤｋが所定のタイミングで供給される。これにより、液晶素子１１８には、画素電極９ａ及び対向電極２１の各々の電位の電位差によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤ１〜ＶＩＤ６に応じたコントラストをもつ光が出射する。
【００４６】
図５に示すように、保持容量１１９は、第１容量電極１１９ａ及び第２容量電極１１９ｂと、これら容量電極間に挟持された誘電体層（不図示）を備えて構成されている。保持容量１１９は、例えば、ＴＦＴアレイ基板１０上に形成された層間絶縁膜の一部を誘電体層とし、当該誘電体層を挟持する第１容量電極１１９ａ及び第２容量電極１１９ｂを一対の容量電極として有する積層構造を有している。
【００４７】
第１容量電極１１９ａは、ＴＦＴ３０のドレイン電極３０ｂ側に電気的に接続されている。第２容量電極１１９ｂは、ＴＦＴ３１に電気的に接続されている。したがって、保持容量１１９は、ドレイン電極３０ｂ側に液晶素子１１８と電気的に並列に付加されており、液晶パネル１００の動作時に、画像信号ＶＩＤｋに応じて設定された画素電極９ａの電極電位を保持する。画素電極９ａに保持された画像信号がリークするのを防ぐために、画素電極９ａの電位は、ソース電圧が印加された時間よりも理想的には３桁も長い時間だけ保持容量１１９によって保持されるので、画素電極９ａにおける電極電位の保持特性が改善される結果、高コントラスト比が実現されることとなる。
【００４８】
＜１−４：付加回路の電気的な構成＞
次に、図６を参照しながら、付加回路ＡＣの電気的な構成を詳細に説明する。図６は、付加回路ＡＣの電気的な構成を示したブロック図である。
【００４９】
付加回路ＡＣは、本発明の「トランジスタ素子」の一例であるＴＦＴ３１、及び、本発明の「容量素子」の一例である容量素子３２を備えて構成されている。
【００５０】
ＴＦＴ３１は、そのソース領域３１Ｓがデータ線部１１４Ａ２に電気的に接続されている。ＴＦＴ３１のゲート３１Ｇは、配線１１７を介して電源回路７００に電気的に接続されている。
【００５１】
容量素子３２の一方の容量電極は、ドレイン領域３１Ｄに電気的に接続されており、他方の容量電極は、共通電位線１３１に電気的に接続されている。
【００５２】
ＴＦＴ３１及び容量素子３２によれば、液晶パネル１００の動作時において複数のデータ線１１４間相互に発生する結合容量の低減、及び、これらデータ線の電気抵抗のばらつきを低減可能である。
【００５３】
ここで、ＴＦＴ３１及び容量素子３２の電気的な動作について詳細に説明しつつ、これら素子によって奏される効果を説明する。ＴＦＴ３１は、当該液晶パネル１００の非動作時において、ソース領域３１Ｓ及びドレイン領域３１Ｄ間が非導通状態に設定されているように動作する。より具体的には、ソース領域３１Ｓ及びドレイン領域３１Ｄ間の導通及び非導通は、ゲート３１Ｇに対する電源ＶＤＤあるいはＶＳＳの供給及び非供給に応じて相互に切り換えられる。したがって、液晶パネル１００によれば、ＴＦＴ３２の動作を制御する制御回路を設けることなく、簡便な回路構成でＴＦＴ３２の導通及び非導通を相互に切り替えることが可能である。
【００５４】
液晶パネル１００の非動作時において、容量素子３２及びデータ線１１４Ａ間の電気的な接続が遮断される。液晶パネル１００の動作時には、ＴＦＴ３１のソース領域３１Ｓ及びドレイン領域３１Ｄ間の非導通状態から導通状態に切り替えられているため、データ線１１４Ａ及び容量素子３２は相互に電気的に接続されている。
【００５５】
したがって、液晶パネル１００の動作時において、容量素子３２の容量値に応じて、複数のデータ線１１４間の結合容量が低減可能になる。加えて、容量素子３２の容量値に応じて複数のデータ線１１４の夫々の電気抵抗相互のばらつきも低減可能である。他方、液晶パネル１００の非動作時には、データ線１１４Ａに印加された静電気の電圧が、容量素子３２に印加されることを低減できるため、液晶パネル１００の非動作時において容量素子３２が静電気によって静電破壊されることを低減可能である。
【００５６】
よって、本実施形態に係る液晶パネル１００によれば、複数のデータ線１１４間に発生する結合容量、或いは電気抵抗のばらつきを低減することが長期間に亘って可能になり、表示画像の画質を低下させることなく、一定の品位に維持できる。
【００５７】
＜２：電子機器＞
次に、図７を参照しながら、上述した液晶パネル１００を用いた投写型表示装置の一例を説明する。本実施形態に係る投写型表示装置は、上述した液晶パネル１００をライトバルブに用い、当該ライトバルブの光入射側及び光出射側の夫々の側に上述の位相差板を配置した光学系を有するプロジェクタである。図７は、本実施形態に係るプロジェクタの構成例を示す平面図である。
【００５８】
図７に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００５９】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルに入射する光或いは出射される光は上述の位相差膜によって光学補償されている。液晶パネル及び位相差板を含む光学系から出射された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００６０】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００６１】
尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００６２】
このようなプロジェクタは、上述した液晶パネルを具備してなるので、一定の画質の画像を長期間に亘って維持可能である。尚、本実施形態に係る液晶パネルは、上述した投写型表示装置に適用される場合に限定されるものではなく、直視型の液晶表示装置の一部を構成することも可能である。また、ＬＣＯＳ型の液晶装置を構成することも可能である。
【符号の説明】
【００６３】
９ａ・・・画素電極、３０，３１・・・ＴＦＴ、３２・・・容量素子、１００・・・液晶パネル、１０１・・・データ線駆動回路、１０４・・・走査線駆動回路、１１２・・・走査線、１１４・・・データ線、１１９・・・保持容量、２００・・・サンプリング回路、５００・・・液晶装置
【図１】
2010160183.tif 000003
【図２】
2010160183.tif 000004
【図３】
2010160183.tif 000005
【図４】
2010160183.tif 000006
【図５】
2010160183.tif 000007
【図６】
2010160183.tif 000008
【図７】
2010160183.tif 000009